(57)【要約】【課題】記録媒体の再生を中断又は再開する際の操作の利便性を向上させることができるプロジェクタ及びその操作方法を得る。【解決手段】レンズカバー開閉検出センサ５１がレンズカバー５０の開から閉への変化を検出したとき、ランプ１１を消灯させると共に、ＤＶＤ再生部３０の再生を中断させ、レンズカバー開閉検出センサ５１がレンズカバー５０の閉から開への変化を検出したとき、ランプ１１を点灯させると共に、所定の条件に応じてＤＶＤ再生部３０の再生を開始させるものである。【選択図】図１
2009135877.tif 000002
【特許請求の範囲】
【請求項１】
光源と、
前記光源を点灯又は消灯させる点灯手段と、
記録媒体に記録された情報を再生して映像信号を出力する記録媒体再生手段と、
前記記録媒体再生手段から入力された映像信号を変換して投写映像用の映像信号を生成する映像信号処理部と、
前記映像信号処理部により生成された映像信号に基づき、前記光源からの光を変調して映像光を射出する光変調手段と、
投写レンズを有し、前記光変調手段により射出された映像光を拡大投写する投写光学系と、
前記投写レンズの前方を開閉するレンズカバーと、
前記レンズカバーの開閉を検出するレンズカバー開閉検出センサと、
少なくとも前記点灯手段及び前記記録媒体再生手段の動作を制御する制御部と
を備え、
前記制御部は、
前記レンズカバー開閉検出センサがレンズカバーの開から閉への変化を検出したとき、前記光源を消灯させると共に、前記記録媒体再生手段の再生を中断させ、
前記レンズカバー開閉検出センサがレンズカバーの閉から開への変化を検出したとき、前記光源を点灯させると共に、所定の条件に応じて前記記録媒体再生手段の再生を開始させることを特徴とするプロジェクタ。
【請求項２】
記録媒体に記録された情報を再生して映像信号を出力する記録媒体再生手段と、
前記記録媒体再生手段から入力された映像信号を変換して投写映像用の映像信号を生成する映像信号処理部と、
前記映像信号処理部により生成された映像信号に基づいて光源からの光を変調して映像光を射出する光変調手段と、
投写レンズを有し、前記光変調手段により射出された映像光を拡大投写する投写光学系と、
前記投写レンズの前方を開閉するレンズカバーと、
前記レンズカバーの開閉を検出するレンズカバー開閉検出センサと、
少なくとも前記記録媒体再生手段の動作を制御する制御部と
を備え、
前記制御部は、
前記レンズカバー開閉検出センサがレンズカバーの開から閉への変化を検出したとき、前記記録媒体再生手段の再生を中断させ、
前記レンズカバー開閉検出センサがレンズカバーの閉から開への変化を検出したとき、所定の条件に応じて前記記録媒体再生手段の再生を開始させることを特徴とするプロジェクタ。
【請求項３】
光源と、前記光源を点灯又は消灯させる点灯手段とを更に備え、
前記制御部は、
前記レンズカバー開閉検出センサがレンズカバーの開から閉への変化を検出したとき、前記光源を消灯させ、
前記レンズカバー開閉検出センサがレンズカバーの閉から開への変化を検出したとき、前記光源を点灯させることを特徴とする請求項２記載のプロジェクタ。
【請求項４】
光源と、前記光源の光量を制御する点灯手段とを更に備え、
前記制御部は、
前記レンズカバー開閉検出センサがレンズカバーの開から閉への変化を検出したとき、前記光源の光量を減少させ、
前記レンズカバー開閉検出センサがレンズカバーの閉から開への変化を検出したとき、前記光源の光量を増加させることを特徴とする請求項２記載のプロジェクタ。
【請求項５】
前記制御部は、
前記レンズカバー開閉検出センサがレンズカバーの開から閉への変化を検出したとき、前記光変調手段により、前記投写光学系から射出される光量が、所定の光量を下回るように前記光源からの光を変調させ、
前記レンズカバー開閉検出センサがレンズカバーの閉から開への変化を検出したとき、前記光変調手段により、前記光源からの光を前記映像信号に基づき変調させることを特徴とする請求項２記載のプロジェクタ。
【請求項６】
前記制御部は、
前記レンズカバー開閉検出センサがレンズカバーの開から閉への変化を検出したとき、前記記録媒体再生手段の再生を一時停止により中断させ、
前記レンズカバー開閉検出センサがレンズカバーの閉から開への変化を検出したとき、前記一時停止を解除して前記記録媒体再生手段の再生を開始させることを特徴とする請求項１〜５の何れかに記載のプロジェクタ。
【請求項７】
前記記録媒体再生手段は、レジューム再生機能を有し、
前記制御部は、
前記レンズカバー開閉検出センサがレンズカバーの開から閉への変化を検出したとき、前記記録媒体再生手段の再生を停止させ、
前記レンズカバー開閉検出センサがレンズカバーの閉から開への変化を検出したとき、前記記録媒体再生手段をレジューム再生させることを特徴とする請求項１〜５の何れかに記載のプロジェクタ。
【請求項８】
前記制御部は、
前記レンズカバー開閉検出センサがレンズカバーの閉から開への変化を検出した後、所定の時間経過したとき、前記記録媒体再生手段の再生を開始させることを特徴とする請求項１〜７の何れかに記載のプロジェクタ。
【請求項９】
前記投写光学系により投写された投写映像を撮像する撮像手段を更に備え、
前記制御部は、
前記レンズカバー開閉検出センサがレンズカバーの閉から開への変化を検出した後、前記光源を点灯させて前記撮像手段により撮像された投写映像の照度が所定値以上となったとき、前記記録媒体再生手段の再生を開始させることを特徴とする請求項１、３、６、７の何れかに記載のプロジェクタ。
【請求項１０】
前記投写光学系により投写された投写映像を撮像する撮像手段を更に備え、
前記制御部は、
前記レンズカバー開閉検出センサがレンズカバーの閉から開への変化を検出した後、前記光源の光量を増加させて前記撮像手段により撮像された投写映像の照度が所定値以上となったとき、前記記録媒体再生手段の再生を開始させることを特徴とする請求項４、６、７の何れかに記載のプロジェクタ。
【請求項１１】
記録媒体に記録された情報を再生して映像信号を出力する記録媒体再生手段と、投写レンズの前方を開閉するレンズカバーとを備え、前記記録媒体再生手段から入力された映像信号に基づき、光源からの光を変調して前記投写レンズから映像光を投写するプロジェクタの制御方法であって、
前記レンズカバーの開から閉への変化を検出したとき、前記光源を消灯させると共に、前記記録媒体再生手段の再生を中断させるステップと、
前記レンズカバーの閉から開への変化を検出したとき、前記光源を点灯させると共に、所定の条件に応じて前記記録媒体再生手段の再生を開始させるステップと
を有することを特徴とするプロジェクタの制御方法。
【請求項１２】
記録媒体に記録された情報を再生して映像信号を出力する記録媒体再生手段と、投写レンズの前方を開閉するレンズカバーとを備え、前記記録媒体再生手段から入力された映像信号に基づき、光源からの光を変調して前記投写レンズから映像光を投写するプロジェクタの制御方法であって、
前記レンズカバーの開から閉への変化を検出したとき、前記記録媒体再生手段の再生を中断させるステップと、
前記レンズカバーの閉から開への変化を検出したとき、所定の条件に応じて前記記録媒体再生手段の再生を開始させるステップと
を有することを特徴とするプロジェクタの制御方法。
【請求項１３】
前記記録媒体再生手段の再生を中断させるステップは、前記光源の光量を減少させると共に、前記記録媒体再生手段の再生を中断させ、
前記記録媒体再生手段の再生を開始させるステップは、前記光源の光量を増加させると共に、前記記録媒体再生手段の再生を開始させることを特徴とする請求項１２記載のプロジェクタの制御方法。
【請求項１４】
前記記録媒体再生手段の再生を中断させるステップは、前記投写レンズから射出される光量が所定の光量を下回るように、前記光源からの光を変調させると共に、前記記録媒体再生手段の再生を中断させ、
前記記録媒体再生手段の再生を開始させるステップは、前記光源からの光を前記映像信号に基づき変調させると共に、前記記録媒体再生手段の再生を開始させることを特徴とする請求項１２記載のプロジェクタの制御方法。
【発明の詳細な説明】
【技術分野】
【０００１】
本発明は、プロジェクタ及びその制御方法に関し、特に、記録媒体再生手段を備えたプロジェクタ及びその制御方法に関する。
【背景技術】
【０００２】
従来のプロジェクタとしては、例えば、特許文献１に、「ＤＶＤ再生部３には挿入口３ａが設けられ、ＤＶＤの記録媒体Ｄを挿着し、ＤＶＤからの再生またはＤＶＤへの記録ができるようになっている。…ＤＶＤ再生部３で再生された画像は投写レンズ部２ｂからスクリーン等に投写される。」ものが提案されている（段落００１９、図１を参照）。
【０００３】
従来のプロジェクタとしては、例えば、特許文献２に、「シャッタ５の開閉状態が、機械的スイッチ２１のオンオフ状態信号として制御部１１へ入力されるように構成し、制御部１１は、シャッタ５が閉じられたことを検知すると、ランプ６を消灯し、クールダウン動作を開始する。クールダウン動作が終了すると電子スイッチ２２をオフし、ＡＣ電源８の供給を停止する。」ものが提案されている（要約を参照）。
【０００４】
従来の情報再生装置としては、例えば、特許文献３に、「前記再生動作が中断された際に中断された際の再生位置を取得し、取得された情報をもとに次回再生される際の特殊再生動作に必要なアドレス情報を取得し、前記取得されたアドレス情報を不揮発性メモリに格納し、同じ光ディスクの再生が指示された際に、前記不揮発性メモリに格納されたアドレス情報をもとに特殊再生動作を行ったあとに、通常の再生を行うことを特徴とする情報再生装置におけるレジューム再生方法。」が提案されている（請求項１を参照）。
【０００５】
【特許文献１】特開２００５−９９６１７号公報
【特許文献２】特開２００７−１７１８８５号公報
【特許文献３】特開２００２−２５２３５号公報
【発明の開示】
【発明が解決しようとする課題】
【０００６】
従来、例えばＤＶＤ（Ｄｉｇｉｔａｌ  Ｖｅｒｓａｔｉｌｅ  Ｄｉｓｃ）などの記録媒体に記録された情報を再生する記録媒体再生手段を備えたプロジェクタにおいては、例えば操作キー（ボタン）により記録媒体再生手段の再生に関する操作を行っていた。また、映像の投写が必要ないときは、投写レンズへの埃の付着や傷を防止するため、レンズカバーにより投写レンズの前方を閉塞していた。
【０００７】
しかしながら、記録媒体の再生を中断（一時停止、再生停止、及び電源オフを含む）して映像の投写を行わない場合、記録媒体再生手段の再生中断に関する操作とレンズカバーによる投写レンズの閉塞操作とをそれぞれ別個に行う必要がある。また、再度、再生を再開して映像の投写を行う場合、レンズカバーの開放操作と記録媒体再生手段の再生に関する操作とをそれぞれ別個に行う必要があり、操作が煩雑である、という問題点があった。
【０００８】
また、映像の投写を行わない場合、上記操作と共に、投写する映像光の光源となるランプのオフ操作を行い、再度、映像の投写を行う場合、上記操作と共に、ランプのオン操作を行う必要があり、操作が煩雑である、という問題点があった。
【０００９】
本発明は、このような問題点を解決するためになされたものであり、記録媒体の再生を中断又は再開する際の操作の利便性を向上させることができるプロジェクタ及びその操作方法を得ることを目的とする。
【課題を解決するための手段】
【００１０】
本発明に係るプロジェクタは、光源と、前記光源を点灯又は消灯させる点灯手段と、記録媒体に記録された情報を再生して映像信号を出力する記録媒体再生手段と、前記記録媒体再生手段から入力された映像信号を変換して投写映像用の映像信号を生成する映像信号処理部と、前記映像信号処理部により生成された映像信号に基づき、前記光源からの光を変調して映像光を射出する光変調手段と、投写レンズを有し、前記光変調手段により射出された映像光を拡大投写する投写光学系と、前記投写レンズの前方を開閉するレンズカバーと、前記レンズカバーの開閉を検出するレンズカバー開閉検出センサと、少なくとも前記点灯手段及び前記記録媒体再生手段の動作を制御する制御部とを備え、前記制御部は、前記レンズカバー開閉検出センサがレンズカバーの開から閉への変化を検出したとき、前記光源を消灯させると共に、前記記録媒体再生手段の再生を中断させ、前記レンズカバー開閉検出センサがレンズカバーの閉から開への変化を検出したとき、前記光源を点灯させると共に、所定の条件に応じて前記記録媒体再生手段の再生を開始させるものである。尚、記録媒体再生手段の再生の一時停止、再生停止、又は電源オフによる中断を「再生の中断」と総称する。尚、光源としては、ランプ、発光ダイオードおよびレーザダイオード等がある。
本発明においては、レンズカバー開閉検出センサがレンズカバーの開から閉への変化を検出したとき、光源を消灯させると共に、記録媒体再生手段の再生を中断させ、レンズカバー開閉検出センサがレンズカバーの閉から開への変化を検出したとき、光源を点灯させると共に、所定の条件に応じて記録媒体再生手段の再生を開始させるので、煩わしい操作を行うことなく、光源の点灯又は消灯、及び記録媒体再生手段の再生の中断又は再開の操作を行うことができ、利便性を向上させることができる。
【００１１】
本発明に係るプロジェクタは、記録媒体に記録された情報を再生して映像信号を出力する記録媒体再生手段と、前記記録媒体再生手段から入力された映像信号を変換して投写映像用の映像信号を生成する映像信号処理部と、前記映像信号処理部により生成された映像信号に基づいて光源からの光を変調して映像光を射出する光変調手段と、投写レンズを有し、前記光変調手段により射出された映像光を拡大投写する投写光学系と、前記投写レンズの前方を開閉するレンズカバーと、前記レンズカバーの開閉を検出するレンズカバー開閉検出センサと、少なくとも前記記録媒体再生手段の動作を制御する制御部とを備え、前記制御部は、前記レンズカバー開閉検出センサがレンズカバーの開から閉への変化を検出したとき、前記記録媒体再生手段の再生を中断させ、前記レンズカバー開閉検出センサがレンズカバーの閉から開への変化を検出したとき、所定の条件に応じて前記記録媒体再生手段の再生を開始させるものである。
本発明においては、レンズカバー開閉検出センサがレンズカバーの開から閉への変化を検出したとき、記録媒体再生手段の再生を中断させ、レンズカバー開閉検出センサがレンズカバーの閉から開への変化を検出したとき、所定の条件に応じて記録媒体再生手段の再生を開始させるので、煩わしい操作を行うことなく、記録媒体再生手段の再生の中断又は再開の操作を行うことができ、利便性を向上させることができる。
【００１２】
本発明に係るプロジェクタは、光源と、前記光源を点灯又は消灯させる点灯手段とを更に備え、前記制御部は、前記レンズカバー開閉検出センサがレンズカバーの開から閉への変化を検出したとき、前記光源を消灯させ、前記レンズカバー開閉検出センサがレンズカバーの閉から開への変化を検出したとき、前記光源を点灯させるものである。
本発明においては、レンズカバー開閉検出センサがレンズカバーの開から閉への変化を検出したとき、光源を消灯させ、レンズカバー開閉検出センサがレンズカバーの閉から開への変化を検出したとき、光源を点灯させるので、煩わしい操作を行うことなく、光源の点灯又は消灯の操作を行うことができ、利便性を向上させることができる。
【００１３】
本発明に係るプロジェクタは、光源と、前記光源の光量を制御する点灯手段とを更に備え、前記制御部は、前記レンズカバー開閉検出センサがレンズカバーの開から閉への変化を検出したとき、前記光源の光量を減少させ、前記レンズカバー開閉検出センサがレンズカバーの閉から開への変化を検出したとき、前記光源の光量を増加させるものである。
本発明においては、レンズカバー開閉検出センサがレンズカバーの開から閉への変化を検出したとき、光源の光量を減少させ、レンズカバー開閉検出センサがレンズカバーの閉から開への変化を検出したとき、光源の光量を増加させるので、レンズカバーが開かれた際に、短時間で光源の光量を増加させることができる。
【００１４】
本発明に係るプロジェクタにおいては、前記制御部は、前記レンズカバー開閉検出センサがレンズカバーの開から閉への変化を検出したとき、前記光変調手段により、前記投写光学系から射出される光量が、所定の光量を下回るように前記光源からの光を変調させ、前記レンズカバー開閉検出センサがレンズカバーの閉から開への変化を検出したとき、前記光変調手段により、前記光源からの光を前記映像信号に基づき変調させるものである。
本発明においては、レンズカバー開閉検出センサがレンズカバーの開から閉への変化を検出したとき、投写光学系から射出される光量が、所定の光量を下回るようにし、レンズカバー開閉検出センサがレンズカバーの閉から開への変化を検出したとき、映像信号に基づき変調した映像光を射出するので、レンズカバーが閉じられた際、レンズカバーに照射される光源からの光量を減少させることができ、レンズカバーの過熱を抑制することができる。
【００１５】
本発明に係るプロジェクタにおいては、前記制御部は、前記レンズカバー開閉検出センサがレンズカバーの開から閉への変化を検出したとき、前記記録媒体再生手段の再生を一時停止により中断させ、前記レンズカバー開閉検出センサがレンズカバーの閉から開への変化を検出したとき、前記一時停止を解除して前記記録媒体再生手段の再生を開始させるものである。
本発明においては、レンズカバーの開閉に応じて、記録媒体再生手段の再生の一時停止又は一時停止の解除を行うので、煩わしい操作を行うことなく、前回再生の続きの位置から再生を再開することができる。
【００１６】
本発明に係るプロジェクタにおいては、前記記録媒体再生手段は、レジューム再生機能を有し、前記制御部は、前記レンズカバー開閉検出センサがレンズカバーの開から閉への変化を検出したとき、前記記録媒体再生手段の再生を停止（電源オフを含む）させ、前記レンズカバー開閉検出センサがレンズカバーの閉から開への変化を検出したとき、前記記録媒体再生手段をレジューム再生させるものである。
本発明においては、レンズカバーの開閉に応じて、記録媒体再生手段の再生の停止又はレジューム再生を行うので、煩わしい操作を行うことなく、前回再生の続きの位置から再生を再開することができる。
【００１７】
本発明に係るプロジェクタにおいては、前記制御部は、前記レンズカバー開閉検出センサがレンズカバーの閉から開への変化を検出した後、所定の時間経過したとき、前記記録媒体再生手段の再生を開始させるものである。
本発明においては、レンズカバーの開状態を検出後、光源が点灯され、所定の時間経過したときに記録媒体再生手段の再生を開始させるので、光源の動作が安定した状態で、再生を開始させることができる。
【００１８】
本発明に係るプロジェクタにおいては、前記投写光学系により投写された投写映像を撮像する撮像手段を更に備え、前記制御部は、前記レンズカバー開閉検出センサがレンズカバーの閉から開への変化を検出した後、前記光源を点灯させて前記撮像手段により撮像された投写映像の照度が所定値以上となったとき、前記記録媒体再生手段の再生を開始させるものである。
本発明においては、レンズカバーの開状態を検出後、光源が点灯され、投写映像の照度が所定値以上となったときに、記録媒体再生手段の再生を開始させるので、投写映像の明るさが所定値以上となった状態で、再生を開始させることができる。
【００１９】
本発明に係るプロジェクタにおいては、前記投写光学系により投写された投写映像を撮像する撮像手段を更に備え、前記制御部は、前記レンズカバー開閉検出センサがレンズカバーの閉から開への変化を検出した後、前記光源の光量を増加させて前記撮像手段により撮像された投写映像の照度が所定値以上となったとき、前記記録媒体再生手段の再生を開始させるものである。
本発明においては、レンズカバーの開状態を検出後、光源の光量が増加され、投写映像の照度が所定値以上となったときに、記録媒体再生手段の再生を開始させるので、投写映像の明るさが所定値以上となった状態で、再生を開始させることができる。
【００２０】
本発明に係るプロジェクタの制御方法は、記録媒体に記録された情報を再生して映像信号を出力する記録媒体再生手段と、投写レンズの前方を開閉するレンズカバーとを備え、前記記録媒体再生手段から入力された映像信号に基づき、光源からの光を変調して前記投写レンズから映像光を投写するプロジェクタの制御方法であって、前記レンズカバーの開から閉への変化を検出したとき、前記光源を消灯させると共に、前記記録媒体再生手段の再生を中断させるステップと、前記レンズカバーの閉から開への変化を検出したとき、前記光源を点灯させると共に、所定の条件に応じて前記記録媒体再生手段の再生を開始させるステップとを有するものである。
本発明においては、レンズカバーの開から閉を検出したとき、光源を消灯させると共に、記録媒体再生手段の再生を中断させ、レンズカバーの閉から開を検出したとき、光源を点灯させると共に、所定の条件に応じて記録媒体再生手段の再生を開始させるので、煩わしい操作を行うことなく、光源の点灯又は消灯、及び記録媒体再生手段の再生の中断又は再開の操作を行うことができ、利便性を向上させることができる。
【００２１】
本発明に係るプロジェクタの制御方法は、記録媒体に記録された情報を再生して映像信号を出力する記録媒体再生手段と、投写レンズの前方を開閉するレンズカバーとを備え、前記記録媒体再生手段から入力された映像信号に基づき、光源からの光を変調して前記投写レンズから映像光を投写するプロジェクタの制御方法であって、前記レンズカバーの開から閉への変化を検出したとき、前記記録媒体再生手段の再生を中断させるステップと、前記レンズカバーの閉から開への変化を検出したとき、所定の条件に応じて前記記録媒体再生手段の再生を開始させるステップとを有するものである。
本発明においては、レンズカバーの開から閉を検出したとき、記録媒体再生手段の再生を中断させ、レンズカバーの閉から開を検出したとき、所定の条件に応じて記録媒体再生手段の再生を開始させるので、煩わしい操作を行うことなく、光源の点灯又は消灯、及び記録媒体再生手段の再生の中断又は再開の操作を行うことができ、利便性を向上させることができる。
【００２２】
本発明に係るプロジェクタの制御方法においては、前記記録媒体再生手段の再生を中断させるステップは、前記光源の光量を減少させると共に、前記記録媒体再生手段の再生を中断させ、前記記録媒体再生手段の再生を開始させるステップは、前記光源の光量を増加させると共に、前記記録媒体再生手段の再生を開始させるものである。
本発明においては、レンズカバーの開から閉への変化を検出したとき、光源の光量を減少させ、レンズカバーの閉から開への変化を検出したとき、光源の光量を増加させるので、レンズカバーが開かれた際に、短時間で光源の光量を増加させることができる。
【００２３】
本発明に係るプロジェクタの制御方法においては、前記記録媒体再生手段の再生を中断させるステップは、前記投写レンズから射出される光量が所定の光量を下回るように、前記光源からの光を変調させると共に、前記記録媒体再生手段の再生を中断させ、前記記録媒体再生手段の再生を開始させるステップは、前記光源からの光を前記映像信号に基づき変調させると共に、前記記録媒体再生手段の再生を開始させるものである。
本発明においては、レンズカバーの開から閉への変化を検出したとき、投写レンズから射出される光量が、所定の光量を下回るようにし、レンズカバーの閉から開への変化を検出したとき、映像信号に基づき変調した映像光を射出するので、レンズカバーが閉じられた際、レンズカバーに照射される光源からの光量を減少させることができ、レンズカバーの過熱を抑制することができる。
【発明を実施するための最良の形態】
【００２４】
実施の形態１．
図１は実施の形態１に係るプロジェクタの構成を示すブロック図である。図に示すように、プロジェクタ１は、光源であるランプ１１と、光変調手段である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、記録媒体再生手段であるＤＶＤ再生部３０と、映像信号処理部３２と、フレームメモリ３３と、台形歪補正部３４と、点灯手段であるバラスト４０と、フォーカス制御部４１と、ズーム制御部４２と、操作信号処理部４３と、操作パネル４４と、記憶部４５と、レンズカバー５０と、レンズカバー５０の開閉を検出するレンズカバー開閉検出センサ５１とを備えている。また、ＤＶＤ再生部３０には再生制御部３１を有し、投写光学系１３には投写レンズ１３ａを有している。このプロジェクタ１は、ＤＶＤ再生部３０から供給される入力映像信号に応じた映像光を投射して、スクリーン、白壁又はホワイトボード等の被投写体（以下「スクリーンＳＣ」という。）に拡大投写するものである。
尚、本実施の形態では、光源としてランプ１１を用いる場合を説明するが、本発明はこれに限らず、発光ダイオードやレーザダイオードなど任意の光源を用いても良い。
【００２５】
制御部２０は、映像信号処理部３２、台形歪補正部３４、バラスト４０、フォーカス制御部４１、ズーム制御部４２、操作信号処理部４３、記憶部４５、レンズカバー開閉検出センサ５１、及びＤＶＤ再生部３０の再生制御部３１と接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算するとともに、演算結果を前記各部に出力する。また、後述する動作により、操作信号処理部４３からの操作信号や、レンズカバー開閉検出センサ５１の検出結果に基づき、ＤＶＤ再生部３０の動作を制御する。
【００２６】
ＤＶＤ再生部３０は、挿入口（図示せず）が設けられており、記録媒体であるＤＶＤが挿入されて当該ＤＶＤに記録された情報を再生し、映像信号を映像信号処理部３２に出力するものである。このＤＶＤ再生部３０は、再生制御部３１の制御により、ＤＶＤの再生、一時停止、再生停止、早送り／巻き戻し再生、スキップ、及びＤＶＤメニュー表示など、各種ＤＶＤの再生に関する動作が制御される。また、このＤＶＤ再生部３０は、レジューム再生機能を有しており、再生停止又は電源オフの際、停止したときの時間情報やトラック情報等をメモリに記憶し、再び再生を開始するときにメモリに記憶された情報を参照して前回再生の続きの位置から再生を可能とするものである。
尚、本実施の形態１では、記録媒体としてＤＶＤを再生する場合を説明するが、本発明はこれに限らず、ビデオテープ、ＣＤ（Ｃｏｍｐａｃｔ  Ｄｉｓｃ）、ＨＤ  ＤＶＤ（Ｈｉｇｈ  Ｄｅｆｉｎｉｔｉｏｎ  ＤＶＤ）や、Ｂｌｕ−ｒａｙ  Ｄｉｓｃなど、任意の記憶媒体を再生するものでもよい。これにより広範な画像または音声等を再生する装置を含むプロジェクタ１を提供することができる。なお、ＨＤ  ＤＶＤはディー・ヴイ・ディー・フォーマット・ロゴ・ライセンシング株式会社の登録商標である。Ｂｌｕ−ｒａｙ  Ｄｉｓｃはソニー株式会社の登録商標である。
【００２７】
映像信号処理部３２は、例えばマイクロプロセッサ（例えばＤＳＰ）等の信号処理回路から構成され、それに内蔵した記憶部に格納された制御プログラムを実行することにより各種の処理をする。また、映像信号処理部３２にはフレームメモリ３３が接続されており、ＤＶＤ再生部３０からの映像信号を１フレーム（１映像画面）毎にフレームメモリ３３に記憶させるとともに、フレームメモリ３３に記憶された映像（以下「フレーム映像」ともいう。）を読み出す機能を有し、また、映像信号の解像度を液晶ライトバルブ１２の解像度に合わせる解像度変換処理等の各種の信号処理を施して投写映像用の映像信号を生成する。
【００２８】
また、この映像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー映像のＯＳＤ映像信号をフレーム映像信号と合成する処理を行う。具体的には、制御部２０が例えば記憶部４５からメニュー映像データ等を読み出して映像信号処理部３２に供給し、映像信号処理部３２は例えばメニュー映像データによりＯＳＤ映像信号を生成し、このＯＳＤ映像信号をフレーム映像信号と合成する。なお、ＯＳＤ処理をしない場合には、フレーム映像信号がそのまま出力されることになる。上記のＯＳＤ処理によりメニュー画像が表示されると、ユーザーはメニュー画像に従ってプロジェクタ１の各部の機能を設定又は調整することになる。
【００２９】
台形歪補正部３４は、スクリーンＳＣに対してプロジェクタ１を傾けた状態で投写（あおり投写）した場合に生じる台形歪を抑制するために、入力される映像信号の補正を行い、補正した映像信号を液晶ライトバルブ駆動部１４に出力する。尚、台形歪が生じていない場合には、前記の補正を行わず、映像信号処理部３２から出力される映像信号がそのまま液晶ライトバルブ駆動部１４に供給される。
【００３０】
液晶ライトバルブ駆動部１４は、入力された映像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、ランプ１１から射出され、色光分離光学系（図示せず）によって各色光に分離された、Ｒ（赤）、Ｇ（緑），Ｂ（青）の各色光を対応する液晶ライトバルブ１２Ｒ，１２Ｇ，１２Ｂによって変調する。液晶ライトバルブ１２Ｒ，１２Ｇ，１２Ｂから射出される映像光は、クロスダイクロイックプリズム（図示せず）などの合成光学系により合成され、投写光学系１３の投写レンズ１３ａによってスクリーンＳＣ上に拡大投写される。また、投写光学系１３には、投写光の焦点を変更可能なフォーカス機構と、投写光の拡大率を変更可能なズーム機構とが備えられている。
【００３１】
バラスト４０は、制御部２０からの指示に従って、ランプ１１を点灯又は消灯させる点灯手段であり、例えばランプ１１が高圧放電灯の場合には、始動電圧を印加する点灯回路や、適正なランプ電流を供給する安定器などにより構成される。
【００３２】
フォーカス制御部４１は、制御部２０からの指示に従って、投写光学系１３のフォーカス機構を構成するフォーカスレンズを光軸方向に移動させることにより、フォーカス状態を調整することが可能になっている。また、フォーカス制御部４１は、フォーカスの調整量、即ちフォーカスレンズの移動量（フォーカス量）を検出することも可能になっており、検出したフォーカス量を制御部２０に出力することができる。フォーカス量を検出する方法としては、フォーカスレンズを光軸方向に移動させるための回転カム機構（図示せず）の回転量を検出するロータリエンコーダやポテンショメータ等の検出機構を用いることができる。或いは、フォーカス機構の駆動源であるステッピングモータのステップ数に基づいてフォーカス量を検出するようにしてもよい。
【００３３】
ズーム制御部４２は、制御部２０からの指示に従って、投写光学系１３のズーム機構を構成するズームレンズを光軸方向に移動させて焦点距離を変更することにより、スクリーンＳＣに表示される映像の拡大率を変更することが可能になっている。また、ズーム制御部４２は、焦点距離、即ちズームレンズの移動量（ズーム量）を検出するズーム量検出部としても機能し、検出したズーム量を制御部２０に出力することができる。ズーム量を検出する方法としては、フォーカス量を検出する方法と同様、ズームレンズを光軸方向に移動させるための回転カム機構（図示せず）の回転量を検出するロータリエンコーダやポテンショメータ等の検出機構によって検出してもよいし、ズーム機構の駆動源であるステッピングモータのステップ数に基づいて検出するようにしてもよい。
【００３４】
操作パネル４４は、電源オン／オフキー、再生キー、一時停止キー、停止キー、メニューキー、音量キーやスキップキーなどＤＶＤの再生操作に関する操作キーや、台形歪の補正方向に応じた操作を行う台形補正キーや入力切替キーなどプロジェクタ１の状態変更等を行うための各種スイッチ類を有している。そして、ユーザによるキー操作に応じた操作信号を操作信号処理部４３に出力する。
また、リモートコントローラ（以下「リモコン」という。）ＲＣは、上記操作パネル４４と同様に、各種スイッチ類を有し、ユーザによるキー操作に応じた操作信号を操作信号処理部４３に出力する。操作信号処理部４３は、操作パネル４４又はリモコンＲＣから入力された操作信号を受信し、これを制御部２０に出力する。
【００３５】
記憶部４５は、制御部２０が実行する制御プログラム、画質調整等を行う際のメニュー映像や、台形歪補正量の表示などのＯＳＤ映像を生成するためのＯＳＤ情報を記憶するとともに、プロジェクタ１の各種設定値等を記憶する。
【００３６】
図２は実施の形態１に係るプロジェクタの外観を模式的に示す図である。また、図２（ａ）はレンズカバー５０が開いている状態を示す図、図２（ｂ）は、レンズカバー５０が閉じている状態を示す図である。図２に示すように、プロジェクタ１の筐体には、ユーザの手動操作により左右にスライドして投写レンズ１３ａの前方を開閉するレンズカバー５０が設けられている。このレンズカバー５０は、映像投写時には、図２（ａ）に示すように投写レンズ１３ａの前方を開放し、未使用時又は後述する再生停止時には、図２（ｂ）に示すように投写レンズ１３ａの前方を閉塞して、投写レンズ１３ａへの埃の付着や傷を防止するものである。
【００３７】
さらにプロジェクタ１には、レンズカバー５０の開閉を検出するレンズカバー開閉検出センサ５１が設けられており、例えば接点スイッチなどにより構成され、レンズカバーが開状態のとき（図２（ａ））、当該接点スイッチがオンされることによりレンズカバー５０の開放（以下「レンズカバー開」という）を検出し、レンズカバーが閉状態のとき（図２（ｂ））、当該接点スイッチがオフされることによりレンズカバー５０の閉塞（以下「レンズカバー閉」という）を検出する。尚、レンズカバー５０の開閉を検出するものであれば、機械的な接点スイッチに限らず、電気的、光学的に開閉状態を検出するものを用いても良い。  
【００３８】
尚、本実施の形態１では、スライド式のレンズカバー５０を設ける場合を説明するが、本発明はこれに限らず、投写レンズ１３ａの前方を開閉するものであれば良く、例えば着脱式のレンズキャップなどでも良い。この場合、レンズカバー開閉検出センサ５１は、当該レンズキャップの着脱を検出できるものを用いる。
【００３９】
このような構成のプロジェクタ１は、次のような動作により、ＤＶＤに記録された情報を再生して映像をスクリーンＳＣに拡大投写する。
まず、ユーザは操作パネル４４又はリモコンＲＣの電源オンキーを操作してプロジェクタ１の電源を投入する。そして、所望のＤＶＤをＤＶＤ再生部３０に挿入して、手動操作によりレンズカバー５０を開いたあと、再生キーやメニューキーなどを操作する。これにより制御部２０には、レンズカバー開閉検出センサ５１からレンズカバー開の検出信号と、操作信号処理部４３からキー操作に応じた操作信号とが入力される。そして、制御部２０は、入力された操作信号に応じて、ＤＶＤ再生部３０の再生制御部３１に対し、ＤＶＤの再生等を指示する。
【００４０】
再生制御部３１は、制御部２０からの指示に従い、ＤＶＤを再生させ、当該映像信号を映像信号処理部３２へ出力させる。映像信号処理部３２は、入力された映像信号を変換して投写映像用の映像信号を生成して、当該映像信号を液晶ライトバルブ駆動部１４へ出力する。液晶ライトバルブ駆動部１４は、入力された映像信号に応じて、液晶ライトバルブ１２を駆動する。液晶ライトバルブ１２は、液晶ライトバルブ駆動部１４により各画素の透過率が調整されることにより、ランプ１１の光を変調して映像光を射出する。この映像光は、投写光学系１３を介してスクリーンＳＣに投射され、入力映像信号に応じた映像がスクリーンＳＣに拡大投写される。
【００４１】
このような動作によってＤＶＤを再生して映像をスクリーンＳＣに投写中に、例えばユーザがＤＶＤ鑑賞を一時中断するような場合、ユーザの操作によりレンズカバー５０が閉じられ、ＤＶＤ鑑賞を再開する場合には、ユーザの操作によりレンズカバー５０が開かれる。
以下、レンズカバー５０の開閉に応じて、ランプ１１及びＤＶＤ再生部３０の動作を制御する本実施の形態１における動作を図３及び図４に基づき説明する。
【００４２】
図３は実施の形態１に係るレンズカバーが閉じられた時の動作フローチャートである。
まず、ＤＶＤ再生中にレンズカバー５０が閉じられた場合の動作について図３により説明する。
ユーザによりレンズカバー５０が閉じられると、制御部２０には、レンズカバー開閉検出センサ５１からレンズカバー閉の検出信号が入力される。制御部２０は、当該検出信号によりレンズカバー５０の開から閉への変化を検出すると（Ｓ１０１）、バラスト４０に対してランプ１１の消灯を指示し、バラスト４０はランプ１１を消灯させる（Ｓ１０２）。そして、制御部２０は、再生制御部３１に対し、ＤＶＤの再生の一時停止を指示する。再生制御部３１は、制御部２０からの指示に基づき、ＤＶＤの再生を一時停止させる（Ｓ１０３）。
【００４３】
尚、再生の中断は、一時停止に限らず、再生停止を指示しても良い。また、電源オフにより再生を中断させても良い。更に、例えばユーザの設定により、一時停止、再生停止、又は電源オフの何れかを選択するようにしても良い。また、再生停止又は電源オフによる再生の中断の際には、再生制御部３１は、停止したときの時間情報やトラック情報等をメモリに記憶する。
【００４４】
図４は実施の形態１に係るレンズカバーが開かれた時の動作フローチャートである。
次に、上記再生の中断後、レンズカバー５０が開かれた場合の動作について図４により説明する。
ユーザによりレンズカバー５０が開かれると、制御部２０には、レンズカバー開閉検出センサ５１からレンズカバー開の検出信号が入力される。制御部２０は、当該検出信号によりレンズカバー５０の閉から開への変化を検出すると（Ｓ１１１）、バラスト４０に対してランプ１１の点灯を指示し、バラスト４０はランプ１１を点灯させる（Ｓ１１２）。そして、制御部２０は、ランプ１１の点灯後、所定の時間が経過したか否かを判断する（Ｓ１１３）。この所定の時間は、例えばランプ１１の再点灯後、所定量の光束を放射するまでの時間など、ランプ１１の種類等に応じて設定することができる。
制御部２０は、ランプ１１点灯後、所定の時間が経過したとき、再生制御部３１に対し、ＤＶＤの再生開始を指示する。再生制御部３１は、制御部２０からの指示に基づき、一時停止を解除してＤＶＤの再生を開始させる（Ｓ１１４）。
【００４５】
尚、上述した再生の中断において、再生停止又は電源オフにより再生を中断させた場合、再生制御部３１は、再生停止及び電源オフの際に記憶した情報を参照して、前回再生の続きの位置から再生（レジューム再生）を開始させる。
【００４６】
尚、上記説明では、制御部２０は、ランプ１１の点灯後、所定の時間経過を待って、ＤＶＤの再生開始の指示をしたが、本発明はこれに限らず、所定の時間がゼロ、即ちランプ１１の点灯直後にＤＶＤの再生を開始させても良い。
【００４７】
以上のように本実施の形態１においては、レンズカバー５０が閉じられたとき、ランプ１１を消灯させてＤＶＤの再生を中断し、レンズカバー５０が開かれたとき、ランプ１１を点灯させてＤＶＤの再生を再開させることにより、煩わしい操作を行うことなく、ランプ１１の点灯又は消灯、及びＤＶＤ再生の中断又は再開の操作を行うことができ、利便性を向上させることができる。つまり、ランプ１１のオフ操作をし、レンズカバー５０を閉じ、ＤＶＤの再生を中断させる操作を、レンズカバー５０を閉じるという１回の操作で行うことが可能となり、ランプ１１のオン操作をし、レンズカバー５０を開き、ＤＶＤの再生を開始させる操作を、レンズカバー５０を開くという１回の操作で行うことが可能となる。
【００４８】
また、ランプ１１の点灯又は消灯、及びＤＶＤ再生の中断又は再開の操作を、レンズカバー５０の開閉操作により行うことができるので、操作キーなどのボタン操作より、操作を直感的で分かりやすく行うことができる。
【００４９】
また、ランプ１１の点灯後、所定の時間が経過するのを待って、ＤＶＤの再生を再開させるので、ランプ１１の点灯が安定した状態で、再生を開始させることができる。
【００５０】
また、ＤＶＤの再生を一時停止により中断させ、再開時には一時停止を解除するので、前回再生の続きの位置から再生を再開することができる。
【００５１】
また、ＤＶＤの再生を再生停止又は電源オフにより中断させ、再開時にはレジューム再生機能を用いて再生するので、前回再生の続きの位置から再生を再開することができる。
【００５２】
実施の形態２．
図５は実施の形態２に係るプロジェクタの構成を示すブロック図である。
本実施の形態１におけるプロジェクタ１は、上記実施の形態１の構成に加え、投写光学系１３によりスクリーンＳＣに投写された投写映像を撮像する撮像手段であるＣＣＤカメラ５２を備えている。
【００５３】
ＣＣＤカメラ５２は、複数の受光素子（図示せず）がマトリクス状に形成されており、この受光素子により光電変換された電気信号の情報を制御部２０へ出力するものである。その他の構成及び動作は実施の形態１と同様であるので説明は省略する。
【００５４】
次に、本実施の形態２における、レンズカバー５０が開かれた場合の動作について図６により説明する。尚、ＤＶＤ再生中にレンズカバー５０が閉じられた場合の動作については、上記実施の形態１（図３）と同様の動作を行う。
【００５５】
図６は実施の形態２に係るレンズカバーが開かれた時の動作フローチャートである。
上述した実施の形態１と同様の動作により、ＤＶＤ再生中にレンズカバー５０が閉じられて再生が中断した後、ユーザによりレンズカバー５０が開かれると、制御部２０には、レンズカバー開閉検出センサ５１からレンズカバー開の検出信号が入力される。制御部２０は、当該検出信号によりレンズカバー５０の閉から開への変化を検出すると（Ｓ２１１）、バラスト４０に対してランプ１１の点灯を指示し、バラスト４０はランプ１１を点灯させる（Ｓ２１２）。そして、ランプ１１からの光は、液晶ライトバルブ１２により変調されて投写光学系１３によりスクリーンＳＣに投写される。このとき、ＤＶＤの再生が一時停止により中断されている場合には、一時停止中の当該映像画面の投写映像がスクリーンＳＣに投写される。また、再生中止又は電源オフによる再生の中断が行われた際には、所定映像画面又はランプ１１からの光が変調されることなく白色光がスクリーンＳＣに投写される。
【００５６】
次に、制御部２０は、ＣＣＤカメラ５２により撮像された投写映像の情報に基づき、投写映像の明るさ、例えば投写映像の照度が所定値以上であるか否かを判断する（Ｓ２１３）。そして、照度が所定値以上であると判断したとき、再生制御部３１に対し、ＤＶＤの再生開始を指示する。再生制御部３１は、制御部２０からの指示に基づき、一時停止を解除してＤＶＤの再生を開始させる（Ｓ１１４）。尚、本実施の形態２においても、再生停止又は電源オフにより再生を中断させた場合、再生制御部３１は、再生停止及び電源オフの際に記憶した情報を参照して、前回再生の続きの位置から再生（レジューム再生）を開始させる。
【００５７】
以上のように本実施の形態２においては、上記実施の形態１と同様の効果に加え、ＣＣＤカメラ５２により撮像された投写映像の照度が所定値以上となったときに、ＤＶＤの再生を再開させるので、投写映像の明るさが所定値以上となった状態で、再生を開始させることができる。
【００５８】
尚、上記実施の形態１及び２では、レンズカバー５０の開又は閉を検出したとき、ランプ１１の点灯又は消灯、及びＤＶＤの再生の中断又は再開を制御する場合を説明したが、本発明はこれに限らず、ＤＶＤの再生の中断又は再開のみを制御するようにしても良い。
【００５９】
実施の形態３．
上記実施の形態１又は２では、ランプ１１を点灯又は消灯する場合を説明したが、本実施の形態３では、ランプ１１の光量を変化させる形態について説明する。
【００６０】
本実施の形態１におけるバラスト４０は、制御部２０からの指示に従って、ランプ１１の光量を減少又は増加させるものである。例えばランプ１１が高圧放電灯の場合には、ランプ電流を増減することにより調光制御する。尚、その他の構成は上記実施の形態１と同様であり、同一部分については同一符号を付して、その説明を省略する。
【００６１】
図７は実施の形態３に係るレンズカバーが閉じられた時の動作フローチャートである。
まず、ＤＶＤ再生中にレンズカバー５０が閉じられた場合の動作について図７により説明する。
ユーザによりレンズカバー５０が閉じられると、制御部２０には、レンズカバー開閉検出センサ５１からレンズカバー閉の検出信号が入力される。制御部２０は、当該検出信号によりレンズカバー５０の開から閉への変化を検出すると（Ｓ３０１）、バラスト４０に対してランプ１１の光量減少を指示し、バラスト４０はランプ１１の光量を減少させる（Ｓ３０２）。この光量減少は、例えばランプ１１が高圧放電灯の場合には、放電を継続することができる最低限のランプ電流となるように調光制御する。
【００６２】
そして、制御部２０は、再生制御部３１に対し、ＤＶＤの再生の一時停止を指示する。再生制御部３１は、制御部２０からの指示に基づき、ＤＶＤの再生を一時停止させる（Ｓ３０３）。
【００６３】
尚、再生の中断は、一時停止に限らず、再生停止を指示しても良い。また、電源オフにより再生を中断させても良い。更に、例えばユーザの設定により、一時停止、再生停止、又は電源オフの何れかを選択するようにしても良い。また、再生停止又は電源オフによる再生の中断の際には、再生制御部３１は、停止したときの時間情報やトラック情報等をメモリに記憶する。
【００６４】
図８は実施の形態３に係るレンズカバーが開かれた時の動作フローチャートである。
次に、上記再生の中断後、レンズカバー５０が開かれた場合の動作について図８により説明する。
ユーザによりレンズカバー５０が開かれると、制御部２０には、レンズカバー開閉検出センサ５１からレンズカバー開の検出信号が入力される。制御部２０は、当該検出信号によりレンズカバー５０の閉から開への変化を検出すると（Ｓ３１１）、バラスト４０に対してランプ１１の光量増加を指示し、バラスト４０はランプ１１の光量を増加させる（Ｓ３１２）。この光量増加は、例えばランプ１１が高圧放電灯の場合には、ランプ電流が定格値となるように制御する。
【００６５】
そして、制御部２０は、再生制御部３１に対し、ＤＶＤの再生開始を指示する。再生制御部３１は、制御部２０からの指示に基づき、一時停止を解除してＤＶＤの再生を開始させる（Ｓ３１３）。
【００６６】
尚、上述した再生の中断において、再生停止又は電源オフにより再生を中断させた場合、再生制御部３１は、再生停止及び電源オフの際に記憶した情報を参照して、前回再生の続きの位置から再生（レジューム再生）を開始させる。
【００６７】
尚、上記説明では、制御部２０は、ランプ１１の光量増加指示の直後にＤＶＤの再生を開始させたが、本発明はこれに限らず、ランプ１１の光量増加指示後、所定の時間経過を待って、ＤＶＤの再生開始の指示をするようにしても良い。これにより、例えばランプ１１の光量増加させる調光制御が完了して、光量が安定した後に再生を開始することができる。また、上記実施の形態２で説明したように、撮像手段であるＣＣＤカメラ５２を備え、ＣＣＤカメラ５２により撮像された投写映像の照度が所定以上となったときにＤＶＤの再生を再開させるようにしても良い。これにより、投写映像の明るさが所定値以上となった状態で再生を開始させることができる。
【００６８】
以上のように本実施の形態３においては、上記実施の形態１の効果に加え、レンズカバー５０の開閉操作により、ランプ１１の光量を減少又は増加させるので、ランプ１１を消灯して再点灯する場合に比べ、ランプカバー５０が開かれた際に短時間でランプ１１の光量を増加させることができる。
【００６９】
また、ランプ１１の点滅頻度を減少させることができるので、例えばランプ１１が高圧放電灯の場合には、ランプ始動時の負荷を軽減し、ランプ寿命を延長させることができる。
【００７０】
実施の形態４．
本実施の形態４では、投写光学系１３から射出される光量を変化させる形態について説明する。尚、本実施の形態におけるプロジェクタ１の構成は上記実施の形態１と同様であり、同一部分については同一符号を付して、その説明を省略する。
【００７１】
図９は実施の形態４に係るレンズカバーが閉じられた時の動作フローチャートである。
まず、ＤＶＤ再生中にレンズカバー５０が閉じられた場合の動作について図９により説明する。
ユーザによりレンズカバー５０が閉じられると、制御部２０には、レンズカバー開閉検出センサ５１からレンズカバー閉の検出信号が入力される。制御部２０は、当該検出信号によりレンズカバー５０の開から閉への変化を検出すると（Ｓ４０１）、投写光学系１３から射出される光量が、所定の光量を下回るようにランプ１１からの光を変調させる（ｓ４０２）。この変調は、例えば液晶ライトバルブ１２の各画素の透過率が最小となるようなフレーム映像（例えば黒色画面等）を、映像信号処理部３２を介して液晶ライトバルブ駆動部１４に供給することにより行う。尚、変調方法はこれに限らず、投写光学系１３から射出される光量を減少させるものであれば良く、ランプ１１からの光の少なくと１部を液晶ライトバルブ１２により遮断するようにしても良い。
【００７２】
次に、制御部２０は、再生制御部３１に対し、ＤＶＤの再生の一時停止を指示する。再生制御部３１は、制御部２０からの指示に基づき、ＤＶＤの再生を一時停止させる（Ｓ４０３）。
【００７３】
尚、再生の中断は、一時停止に限らず、再生停止を指示しても良い。また、電源オフにより再生を中断させても良い。更に、例えばユーザの設定により、一時停止、再生停止、又は電源オフの何れかを選択するようにしても良い。また、再生停止又は電源オフによる再生の中断の際には、再生制御部３１は、停止したときの時間情報やトラック情報等をメモリに記憶する。
【００７４】
図１０は実施の形態４に係るレンズカバーが開かれた時の動作フローチャートである。
次に、上記再生の中断後、レンズカバー５０が開かれた場合の動作について図１０により説明する。
ユーザによりレンズカバー５０が開かれると、制御部２０には、レンズカバー開閉検出センサ５１からレンズカバー開の検出信号が入力される。制御部２０は、当該検出信号によりレンズカバー５０の閉から開への変化を検出すると（Ｓ４１１）、液晶ライトバルブ１２により、ランプ１１からの光を映像信号に基づき変調させる（Ｓ４１２）。即ち、映像信号処理部３２は、入力された映像信号を変換して投写映像用の映像信号を生成して、当該映像信号を液晶ライトバルブ駆動部１４へ供給し、液晶ライトバルブ駆動部１４は入力された映像信号に応じて、液晶ライトバルブ１２を駆動する。これにより入力映像信号に応じた映像が、投写光学系１３を介してスクリーンＳＣに拡大投射されることとなる。
【００７５】
次に、制御部２０は、再生制御部３１に対し、ＤＶＤの再生開始を指示する。再生制御部３１は、制御部２０からの指示に基づき、一時停止を解除してＤＶＤの再生を開始させる（Ｓ４１３）。
【００７６】
尚、上述した再生の中断において、再生停止又は電源オフにより再生を中断させた場合、再生制御部３１は、再生停止及び電源オフの際に記憶した情報を参照して、前回再生の続きの位置から再生（レジューム再生）を開始させる。
【００７７】
以上のように本実施の形態４においては、上記実施の形態１の効果に加え、レンズカバー５０が閉じられたとき、投写光学系１３から射出される光量が、所定の光量を下回るようにランプ１１からの光を変調するので、レンズカバー５０に照射されるランプ１１からの光量を減少させることができ、レンズカバー５０の過熱を抑制することができる。
【００７８】
また、ランプ１１を点灯若しくは消灯、又は光量の増減をするための制御を行う必要が無いので、レンズカバーが開かれた際に、短時間でＤＶＤの再生を再開することができる。
【００７９】
また、ランプ１１の点滅頻度を減少させることができるので、例えばランプ１１が高圧放電灯の場合には、ランプ始動時の負荷を軽減し、ランプ寿命を延長させることができる。
【００８０】
尚、上記実施の形態１〜４では、液晶ライトバルブ１２を用いて、ランプ１１から射出された光を変調したが、本発明はこれに限らず、他の空間光変調器を用いても良く、例えば、半導体基板の上に敷き詰められた微小面積のミラーの傾きを映像信号に基づいて制御することによって映像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【図面の簡単な説明】
【００８１】
【図１】実施の形態１に係るプロジェクタの構成を示すブロック図である。
【図２】実施の形態１に係るプロジェクタの外観を模式的に示す図である。
【図３】実施の形態１に係るレンズカバーが閉じられた時の動作フローチャートである。
【図４】実施の形態１に係るレンズカバーが開かれた時の動作フローチャートである。
【図５】実施の形態２に係るプロジェクタの構成を示すブロック図である。
【図６】実施の形態２に係るレンズカバーが開かれた時の動作フローチャートである。
【図７】実施の形態３に係るレンズカバーが閉じられた時の動作フローチャートである。
【図８】実施の形態３に係るレンズカバーが開かれた時の動作フローチャートである。
【図９】実施の形態４に係るレンズカバーが閉じられた時の動作フローチャートである。
【図１０】実施の形態４に係るレンズカバーが開かれた時の動作フローチャートである。
【符号の説明】
【００８２】
１  プロジェクタ、１１  ランプ、１２Ｒ  液晶ライトバルブ、１２Ｇ  液晶ライトバルブ、１２Ｂ  液晶ライトバルブ、１３  投写光学系、１３ａ  投写レンズ、１４  液晶ライトバルブ駆動部、２０  制御部、３０  ＤＶＤ再生部、３１  再生制御部、３２  映像信号処理部、３３  フレームメモリ、３４  台形歪補正部、４０  バラスト、４１  フォーカス制御部、４２  ズーム制御部、４３  操作信号処理部、４４  操作パネル、４５  記憶部、５０  レンズカバー、５１  レンズカバー開閉検出センサ、５２  ＣＣＤカメラ、ＲＣ  リモコン、ＳＣ  スクリーン。
【図１】
2009135877.tif 000003
【図２】
2009135877.tif 000004
【図３】
2009135877.tif 000005
【図４】
2009135877.tif 000006
【図５】
2009135877.tif 000007
【図６】
2009135877.tif 000008
【図７】
2009135877.tif 000009
【図８】
2009135877.tif 000010
【図９】
2009135877.tif 000011
【図１０】
2009135877.tif 000012